(57)【特許請求の範囲】
【請求項１】
発光素子が基板に実装された発光部と、
前記発光部が取り付けられるフレーム取付部を有するフレームと、
前記フレーム取付部に第一の開口を設けるように、前記フレーム取付部の一部を突設させ形成された固定片と、
を備え、
前記発光部は、
前記フレーム取付部に沿った方向に移動する前記基板が、前記第一の開口を塞いだ状態で前記固定片により前記フレーム取付部に固定されることによって、前記フレーム取付部に取り付けられることを特徴とした光源ユニット。
【請求項２】
前記固定片は、前記第一の開口を挟むように対に形成されていることを特徴とする請求項１に記載の光源ユニット。
【請求項３】
前記固定片は前記フレーム取付部との間に基板挿し込み部を設け、前記基板は前記基板挿し込み部に挿し込まれ、前記発光部は前記フレームに保持されることを特徴とする請求項１または請求項２に記載の光源ユニット。
【請求項４】
前記基板は、前記基板挿し込み部に挿し込まれる基板凸部を有していることを特徴とする請求項３に記載の光源ユニット。
【請求項５】
前記フレームは、前記フレーム取付部に第二の開口を設けるように前記固定片と反対方向へ突設させた突起部を有し、前記第二の開口は前記基板によって塞がれることを特徴とする請求項１から請求項４のいずれか一項に記載の光源ユニット。
【請求項６】
前記フレームには、機能部品が配設され、前記機能部品は前記突起部に取り付けられることを特徴とする請求項５に記載の光源ユニット。
【請求項７】
請求項１から請求項６のいずれか一項に記載の光源ユニットと、
前記光源ユニットの一部が収容されるように取り付けられる器具本体と、
を備えることを特徴とする照明器具。
【発明の詳細な説明】
【技術分野】
【０００１】
本発明は、光源ユニットおよび、光源ユニットを備える照明器具に関するものである。
【背景技術】
【０００２】
従来より、発光素子が基板に実装された発光基板と電源を備えた光源ユニットと、この光源ユニットが着脱自在に取り付けられる器具本体とを備える照明器具が提供されている。
【０００３】
例えば、光源ユニットが発光基板を保持するフレームを有している照明器具がある。このフレームは板金を加工して形成されたものであり、一部を切り起しして形成された固定片により発光基板を保持している。
（例えば、特許文献１参照）
【先行技術文献】
【特許文献】
【０００４】
【特許文献１】特開２０１４−１１２４９０号公報
【発明の概要】
【発明が解決しようとする課題】
【０００５】
しかしながら、特許文献１に記載の光源ユニットは、固定片を更に曲げて発光基板を固定しているとともに、フレームの一部を切り起したことにより形成された開口をテープなどで塞いでいる。その為、組み立て作業が複雑になるという課題があった。
【０００６】
そこで、本発明は、上記のような課題を解決する為になされたもので、容易に組み立てできる光源ユニットを提供することを目的とする。
【課題を解決するための手段】
【０００７】
本発明における光源ユニットは、発光素子が基板に実装された発光部と、前記発光部が取り付けられるフレーム取付部を有するフレームと、前記フレーム取付部に第一の開口を設けるように、前記フレーム取付部の一部を突設させ形成された固定片と、を備え、前記発光部は、前記フレーム取付部に沿った方向に移動する前記基板が、前記第一の開口を塞いだ状態で前記固定片により前記フレーム取付部に固定されることによって、前記フレーム取付部に取り付けられることを特徴とするものである。
【発明の効果】
【０００８】
本発明の光源ユニットは、容易に組み立てできるものである。
【図面の簡単な説明】
【０００９】
【図１】実施の形態１における照明器具の斜視図である。
【図２】実施の形態１における照明器具の分解斜視図である。
【図３】実施の形態１における照明器具のＡ-Ａ′断面図である。
【図４】実施の形態１における器具本体の斜視図である。
【図５】実施の形態１におけるバネの斜視図である。
【図６】実施の形態１における光源ユニットの斜視図である。
【図７】実施の形態１における光源ユニットの分解斜視図である。
【図８】実施の形態１における光源ユニットのＣ部詳細図である。
【図９】実施の形態１における連結金具の斜視図である。
【図１０】実施の形態１における光源ユニットの組み立て工程図である。
【図１１】実施の形態１における光源ユニットの組み立て工程図である。
【図１２】実施の形態１における光源ユニットの組み立て工程図である。
【図１３】実施の形態１における光源ユニットの変形例を示す参考図である。
【図１４】実施の形態１における光源ユニットの変形例を示す参考図である。
【発明を実施するための形態】
【００１０】
実施の形態１.
本発明の実施の形態１に係る照明器具１の説明をする。
図１は本実施の形態における照明器具の斜視図であり、図２は図１に示す照明器具１の分解斜視図であり、図３は図１に示す照明器具のＡ−Ａ’断面図であり、図４は図１に示す器具本体の斜視図であり、図５は図４の示すバネの斜視図であり、図６の（ａ）は図２に示す光源ユニットの斜視図であり、図６の（ｂ）は図６の（ａ）におけるＢ矢視図であり、図７は図６に示す光源ユニットの分解斜視図であり、図８は図７に示す光源ユニットのＣ部詳細図であり、図９は図６の（ａ）に示す連結金具の斜視図である。
【００１１】
はじめに、図１から図３を参照して照明器具１の各部の構成を説明する。
本実施形態の照明器具１は、図１に示すように天井直付け型の照明器具であって、図示しない吊ボルトなどの取付具を用いて被取付部に取り付けられる器具本体１００と、器具本体１００に対して着脱自在に取り付けられる光源ユニット２００とを備える。
器具本体１００、光源ユニット２００はいずれも長尺状であり、以下の説明において、長手方向を長手方向Ｘ、長手方向Ｘに対する短手方向を短手方向Ｙとし、長手方向Ｘおよび短手方向Ｙそれぞれに直交する方向を上下方向Ｚとする。また、照明器具１が取り付けられる天井などの被取付面側を上方向Ｚ１とし、上方向Ｚ１と反対側であり照明器具１が照射する側を下方向Ｚ２とする。
【００１２】
図２から図５を参照して、器具本体１００の各部の構成を説明する。
器具本体１００は、ボルトなどの固定具を用いて天井などの被取付部に取り付けられるものである。
図２に示すように、器具本体１００は、光源ユニット２００の一部が挿入され取り付けられる取付部１１０と、取付部１１０の長手端部を覆う側板１２０と、器具本体１００の外部から引き込まれた図示しない電源線が挿し込まれる端子台１３０と、光源ユニット２００を保持する為のバネ１４０とを備えている。
【００１３】
図２示すように、取付部１１０は、長手方向Ｘに沿って形成され光源ユニット２００が挿入される収容部１１１と、短手方向Ｙにおいて収容部１１１の両側に設けられる鍔部１１２、傾斜部１１３とを備えている。
【００１４】
図２から図４に示すように、収容部１１１は、長手方向Ｘに沿って長尺且つ矩形板状に形成された底部１１１ａと、底部１１１ａの長手側辺それぞれから底部１１１ａと直交する方向に延出する一対の側部１１１ｂとを有する凹形状をなし、光源ユニット２００の一部が収納される。
収容部１１１は、底部１１１ａと対向する位置に光源ユニット２００が挿入される開口１１１ｃが形成される。
【００１５】
底部１１１ａには、商用電源から電力供給をうける為の図示しない電源線を引き込む電源引込孔１１１ａａと、固定具により被取付部へ固定する為の固定孔１１１ａｂが形成されている。
【００１６】
鍔部１１２は、一対の側部１１１ｂの開口１１１ｃ側の長手側辺それぞれから互いに離れるように対に形成されている。
【００１７】
傾斜部１１３は、短手方向Ｙにおいて収容部１１１の両側に設けられている。傾斜部１１３は、鍔部１１２の長手側辺より、上方向Ｚ１へ且つ収容部１１１から離れるように形成されている。
【００１８】
図４に示すように、側板１２０は、長手方向Ｘにおける取付部１１０の両端に配設されており、収容部１１１と傾斜部１１３を覆っている。
側板１２０は、収容部１１１と傾斜部１１３の長手方向Ｘの端部を覆う側板本体部１２１と、側板本体部１２１から側板本体部１２１に対して略垂直になるように突設した側板鍔部１２２を有している。
【００１９】
図４に示すように、端子台１３０は、収容部１１１の底部１１１ａに固定されており、電源引込孔１１１ａａから引き込まれた図示しない電源線と接続し、商用電源から供給される電力を光源ユニット２００に供給する。
端子台１３０は、矩形箱状に形成された端子台本体部１３１と、電源ユニット２００に電気的に接続する為の端子台接続部１３２とを備えている。
端子台接続部１３２は、端子台電線１３２ａと、端子台電線１３２ａの先端に設けられた端子台コネクタ１３２ｂを備えている。
【００２０】
図５に示すように、バネ１４０は、収容部１１１の底部１１１ａに、長手方向Ｘに沿って対になるよう２つ配設されている。バネ１４０は、光源ユニット２００を器具本体１００に取り付けする取付機構の１つであり、後述する連結金具２６０と係合するものである。
バネ１４０は、ステンレス材料や、バネ鋼材などの弾性材料で形成され、図５に示すように底部１１１ａに固定されるバネ固定部１４１と、円弧形状をしたバネ円弧部１４２と、バネ円弧部１４２の先端に設けられ後述する連結金具２６０に引掛けられるバネ先端部１４３が設けられている。
また、対になるバネ１４０は、バネ先端部１４３が互いに反対方向を向くように底部１１１ａに配設されている。
なお、バネ１４０は、板材の弾性材料を曲げて形成しても良く、線材の弾性材料を曲げて形成しても良い。
【００２１】
図６から図９を参照して、光源ユニット２００の各部の構成を説明する。
図６から図９に示すように、光源ユニット２００は、複数の発光素子２１２を有する発光部２１０と、この発光部２１０が取付けられるフレーム２２０と、発光部２１０を覆うようにしてフレーム２２０に取り付けられるカバー２３０と、光源ユニット２００の長手方向Ｘの端部に配設される蓋２４０と、発光部２１０に所定の点灯電力を供給する電源装置２５０と、バネ１４０と係合する連結金具２６０とを備えている。
【００２２】
発光部２１０は、複数の発光素子２１１と、複数の発光素子２１１が実装される基板２１２を有している。基板２１２は照明器具１の長手方向と略同等になるように長尺に形成されており、発光素子２１１が基板２１２の長手方向へ直線状に配設されている。
【００２３】
基板２１２は、長手側辺に基板凹部２１２ａと、基板凸部２１２ｂが形成されている。基板凹部２１２ａは、基板２１２の長手側辺から短手方向Ｙにおける中心に向って凹んだ形状である。基板凸部２１２ｂは、基板凹部２１２ａに隣接して設けられている。基板凹部２１２ａおよび基板凸部２１２ｂは、基板２１２の長手側辺両側にそれぞれ形成されている。
【００２４】
発光部２１０の長手方向Ｘにおける一端部には、電源装置２５０との間を電気的に接続するための図示しない電線が接続されている。この電線が電源装置２５０に接続されており、発光部２１０と電源装置２５０が電気的に接続されている。
なお、発光素子２１２は、例えば表面実装タイプのＬＥＤ素子であるが、ＣＯＢ型発光モジュールでも良く、有機ＥＬ素子でも良い。また、発光素子２１２を直線状に実装する列は一列でも良く、複数列でも良い。
【００２５】
図７および図８に示すように、フレーム２２０は、長手方向Ｘに沿って長尺且つ矩形板状に形成されたフレーム取付部２２１と、フレーム底部２２１の長手側辺それぞれからフレーム底部２２１と直交する方向に延出する一対のフレーム側部２２２とで構成されている。
また、各フレーム側部２２２は、先端が曲げ加工されて形成された側部端部２２２ａがそれぞれ設けられている。
【００２６】
フレーム取付部２２１は、フレーム取付部２２１から突設するように形成され、発光部２１０を保持する為の固定片２２３が設けられている。
固定片２２３は、Ｌ字形状であり、フレーム取付部２２１から突設した立上り部２２３ａと、フレーム取付部２２１との間に隙間を形成するように立上り部２２３ａから長手方向Ｘへ延設した押え部２２３ｂとを有している。フレーム取付部２２１と押え部２２３ｂの間に形成される隙間は、基板２１２が挿し込まれる基板挿し込み部２２３ｃとなる。
また、固定片２２３は、フレーム取付部２２１の一部をフレーム取付部２２１の短手方向Ｙの中心側から外側へ向かって切り起し加工にて形成したものである
切り起し加工とは、切り曲げ加工とも呼び、切り込みまたスリットによって所定の形状を形成し、切り残した部分を曲げる加工であり、フレーム取付部２２１には固定片２２３の短手方向Ｙにおける中心側に隣接した位置に切り起し開口２２１ａが形成されている。
【００２７】
固定片２２３は、短手方向Ｙにおいて対になるよう並設されている。この対に形成された固定片２２３は、長手方向Ｘにおいて複数設けられている。
なお、対になる固定片２２３、２２３同士の距離Ａは、対になる基板凹部２１２ａ、２１２ａ同士の距離Ｂとほぼ等しくなる。
また、固定片１２３の長手方向の長さＣは、基板凹部２１２ａの長手方向の長さＤよりも短く形成されている。
【００２８】
更に、フレーム取付部２２１は、発光部２１０が固定する面と反対側の面に突起部２３４が設けられている。突起部２３４は、切り起し加工により形成されたものであり、固定片２２３と反対側に突出している。
突起部２３４は、連結金具２６０をネジなどの固定具により固定する為のものである。突起部２３４がフレーム取付部２２１より突出するよう設けられていることで、固定具が発光部２１０を固定した面側に突き出すことを防いでいる。
この、突起部２３４は、連結金具２６０だけでなく、フレーム２２０に配設される電源装置２５０、図示しない無線ユニット、アース線、取付機構などの機能部品を固定する為に設けても良い。
なお、突起部２３４を切り起したことにより、フレーム取付部２２１には図示しない開口が設けられている。この開口は、発光部２１０がフレーム２２０に固定されることで塞がれる。
また、固定片２２３および突起部２３４それぞれを切り起して形成した際に設けられた開口を区別する為に、固定片２２３の形成により設けられた切り起し開口２２１ａを第一の開口と呼び、突起部２３４の形成により設けられた開口を第二の開口と呼ぶこともある。
【００２９】
図３および図７に示すように、カバー２３０は、乳白色のアクリル樹脂など拡散性を有する材料により形成されたものであり、発光部２１０を覆うようにフレーム２２０に取り付けられ、発光部２１０から照射される光を拡散させる。
カバー２３０は図３に示すように、短手方向Ｙにおいて、発光部２１０を覆う外層部２３１と、外層部２３１の各端部より互いに近づくように突設する対になるカバー底部２３２と、対になるカバー底部２３２の各端部よりフレーム２２０の側方を覆うようなカバー側部２３３を有している。カバー２３０は、外層部２３１、カバー底部２３２、カバー側部２３３が長手方向Ｘへ連続するように形成されている。
なお、カバー底部２３２およびカバー側部２３３は、反射材料の塗布や二色成形などの方法により、反射性能が高い構成にしても良い。カバー底部２３２およびカバー側部２３３の反射性能を高くすることで、光源ユニット２００の発光効率を高くすることができる。
【００３０】
図６および図７に示すように蓋２４０は、光源ユニット２００の長手方向Ｘにおける端部に配設され、発光部２１０が照射する光を長手方向Xへ配光するものである。蓋２４０は、アクリル樹脂など透過性、拡散性を有する材料により形成されている。蓋２４０は、カバー２３０の端部に設けられており、光源ユニット２００の長手方向Ｘにおける端部となる蓋端面２４１と、カバー２３０の外層部２３１と隣接する蓋外層部２４２と、カバー２３０のカバー底部２３２と隣接する蓋底部２４３と、を有している。
蓋２４０は、カバー２３０の長手方向Xの開口を塞ぐとともに、カバー２３０と接着剤、熱溶着などの接合手段により接合されている。
【００３１】
図６に示すように、電源装置２５０は、フレーム底部２２１の発光部２１０が取り付けられた面の反対側の面に固定される。
電源装置２５０は、端子台１３０を介して商用電源からの電力を発光部２１０に供給し、発光部２１０を点灯させるものであり、図示しない電源回路が内蔵され長尺形状をした電源本体部２５１と、端子台接続部１３２と接続する電源接続部２５２を備えている。
電源接続部２５２は、電源電線２５２ａと、電源電線２５２ａの先端に設けられ端子台コネクタ１３２ｂと接続する電源コネクタ２５２ｂを備えている。
【００３２】
図９に示すように、連結金具２６０は、略L形状をしており金具固定部２６１とバネ連結部２６２を有している。連結金具２６０は、光源ユニット２００を器具本体１００に取り付けする取付機構の１つであり、バネ１４０と係合するものである。
連結金具２６０は、金具固定部２６１は保持底面部２２１にネジなどに固定され、バネ連結部２６２はバネ１４０が引っ掛けられる連結開口部２６２ａが形成されている。
この連結開口部２６２６ａとバネ１４０のバネ円弧部１４２が係合し、光源ユニット２００は器具本体１００に固定される。
【００３３】
図１０から図１２を参照して、発光部２１０のフレーム２２０への取付作業の概要を説明する。図１０の（ａ）は発光部２１０がフレーム２２０の取り付けられる前の状態を示し、図１０（ｂ）は図*の（ａ）に示すＤ部の詳細図である。図１１の（ａ）は発光部２１０がフレーム２２０に配置された状態を示し、図１１の（ｂ）は図１１の（ａ）に示すＥ部の詳細図である。図１２の（ａ）は発光部２１０がフレーム２２０の取り付けられた状態を示し、図１２の（ｂ）は図１２の（ａ）に示すＦ部の詳細図である。
【００３４】
図１０は発光部２１０がフレーム２２０に取り付けられる前の状態である。
はじめに、図１０の状態から図１１に示すように、発光部２１０をフレーム２２０のフレーム取付部２２１に配置する。このとき、固定片２２３は基板１１２の基板凹部１１２ａに配置される。また、フレーム２２０の切り起し開口２２１ａは基板２１２により覆われる。
【００３５】
次に、図１１の状態から、基板２１２の基板凸部２１２ｂを固定片２２２３の基板挿し込み部２２３ｃに挿し込むように、発光部２１０をフレーム取付部２２１と平行な長手方向Ｘへ移動させる。
長手方向Ｘへ移動させることで、基板凸部２１２ｂは基板挿し込み部２２３ｃに挿し込まれ、発光部１１０はフレーム２２０に取り付けられる。また、発光部２１０は、基板２１２が切り起し開口２２１ａを塞いだ状態でフレーム２２０に取り付けられる。
【００３６】
このように、発光部２１０は、基板２１２の基板凸部２１２ｂが固定片２２３の基板挿し込み部２２３Ｃに挿し込むことでフレーム２２０に取り付けされるとともに、フレーム２２０は切り起し開口１２１aが発光部２１０により塞がれる。よって、容易な作業で発光部２１０をフレーム２２０に取り付けすることができる。
また、このとき切り起しにより突起部２３４を設けたことでフレーム取付部２２１に形成された第二の開口も発光部２１０により塞ぐことができる。
【００３７】
次に、光源ユニット２００の組み立て作業の概要を説明する。
カバー２３０は、発光部２１０が取り付けられたフレーム２２０に、外層部２３１が発光素子２１１を覆った状態でカバー側部２３３をフレーム側部２２２に係合させ、取り付けられる。電源装置２５０および連結金具２６０は、フレーム２２０の発光部２１０が取り付けられた面と反対の面に取り付ける。光源ユニット２００は組み立てられる。以上の作業により、光源ユニット２００を組み立てすることができる。
なお、電源装置２５０および連結金具２６０をフレーム２２０に取り付けするのは、フレーム２２０に発光部２１０が取り付けられる前でも良く、フレーム２２０に発光部２１０が取り付けられた後でも良い。
【００３８】
本実施の形態の光源ユニット２００は、発光素子２１１が基板２１２に実装された発光部２１０と、この発光部２１０が取り付けられるフレーム取付部２２１を有するフレーム２２０と、フレーム取付部２２１の一部を切り起しして形成した固定片２２３とを備え、発光体２１０は基板２１２を固定片２２３に挿し込むことでフレーム２２０に固定されるとともに、基板２１２が切り起したことにより形成された切り起し開口２２１ａを塞いでいる。よって、固定片を曲げる、ネジなど固定具で取り付けする取付作業や、テープなどにより開口を塞ぐ作業を省略することができ、容易な作業で光源ユニット２００を組み立てすることができる。
【００３９】
また、本実施の形態の光源ユニット２００は、フレーム２２０がフレーム取付部２２１に固定片２２３と反対側に切り起して形成された突起部２３４が配設されている。この突起部２３４を切り起し形成したことで設けられた開口である第二の開口も、発光部２１０がフレーム２２０に固定されることで、基板２１２により塞ぐことができる。
つまり、発光部２１０がフレーム２２０に固定されることで、切り起し開口２２１ａである第一の開口およぶ第二の開口を塞ぐことができる。
【００４０】
また、本実施の形態は、ネジなど固定具による取付作業や、テープなどにより切り起し開口を塞ぐ作業を省略することができるの、部品数が増加するのを抑制することができる。
【００４１】
次に、図１３および図１４を用いて本実施の形態の変形例に関して説明を行なう。
図１３は、発光部２１０Ａ、フレーム２２０Ａを示している。図１３の（ａ）は発光部２１０Ａがフレーム２２０Ａに取り付けられる前の状態であり、図１３の（ｂ）は発光部２１０Ａがフレーム２２０Ａに取り付けられた状態である。本実施の形態の変形例として、図１３に示すような発光部２１０Ａおよびフレーム２２０Ａを備えた光源ユニット２００Ａでも良い。
発光部２１０Ａは、基板凹部２１２ａおよび基板凸部２１２ｂが形成されてない矩形状の基板２１２Ａを有しており、フレーム２２０Ａに切り起し開口２２１ａを覆うように配置される。フレーム２２０Ａは、フレーム取付部２２１Ａに発光部２１０Ａが配置されると、固定片２２３Ａの抑え部２２３ａＡが発光部２１０Ａ側に曲げられ、発光部２１０Ａが取り付けられる。
光源ユニット２００Ａは、基板２１２Ａを基板凹部２１２ａおよび基板凸部２１２ｂを有さない矩形状にすることで、材料を少なくすることができる。
【００４２】
図１４は、発光部２１０Ｂ、フレーム２２０Ｂを示している。図１４の（ａ）は発光部２１０Ｂがフレーム２２０Ｂに取り付けられる前の状態であり、図１４の（ｂ）は発光部２１０Ｂがフレーム２２０Ｂに取り付けられた状態である。本実施の形態の変形例として、図１４に示すような発光部２１０Ｂおよびフレーム２２０Ｂを備えた光源ユニット２００Ｂでも良い。
発光部２１０Ｂは、基板凹部２１２ａおよび基板凸部２１２ｂが形成されてない矩形状の基板２１２Ｂを有しており、フレーム２２０Ｂに切り起し開口２２１ａを覆うように配置される。フレーム２２０Ｂは、固定片２２３Ｂが略矩形状をしており、発光部２１０Ｂと面接触し、発光部２１０Ｂをフレーム２２０Ｂに（保持）している。
光源ユニット２００Ｂは、略矩形状に形成された固定片２２３Ｂを有し、固定片２２３Ｂが発光部２１０と面接触することで、発光部２１０の保持をより強固にすることができる。
【００４３】
また、本実施の形態では、バネ１４０が照明器具１の長手方向Ｘへ２箇所配置される取付機構を説明したが、長手方向Ｘの一方は引っ掛けによる係合で、もう一方がバネによる取り付けであっても良い。
【００４４】
また、本実施の形態では、器具本体１００にバネ１４０を設け、光源ユニット２００に連結金具２６０を設ける仕様について説明を行なったが、器具本体１００が連結金具２６０を備え、光源ユニット２００がバネ１４０を備える仕様でも良い。
【００４５】
また、本実施の形態では、器具本体１００に端子台１３０を設け、光源ユニット２００に電源装置２５０を設ける仕様について説明を行なったが、器具本体１００が電源装置２５０を備え、光源ユニット２００が端子台１３０を備える仕様でも良く、どちらか一方が端子台１３０と電源装置２５０を備える仕様でも良い。
【００４６】
また、本実施の形態では、器具本体１００および器具本体１０００は逆富士型形状に関して説明を行なったが、本発明に係る器具本体は逆富士型形状に限らず埋め込み型形状の器具本体でも良く、トラフ形状の器具本体でも良い。
【００４７】
以上、本発明の実施の形態について説明したが、これらの実施の形態を組み合わせて実施しても構わない。あるいは、これらの実施の形態を部分的に実施しても構わない。あるいは、これらの実施の形態を部分的に組み合わせて実施しても構わない。なお、本発明は、これらの実施の形態に限定されるものではなく、必要に応じて種々の変更が可能である。
【符号の説明】
【００４８】
Ｘ  長手方向、Ｙ  短手方向、Ｚ  上下方向、Ｚ１  上方向、Ｚ２  下方向、１  照明装置、１００  照明器具、１１０  取付部、１１１  収容部、１１１ａ  底部、１１１ａａ  電源引込孔、１１１ａｂ  固定孔、１１１ｂ  側部、１１１ｃ  開口、１１２  鍔部、１１３  傾斜部、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００  光源ユニット、２１０  発光部、２１１  発光素子、２１２  基板、２１２ａ  基板凹部、２１２ｂ  基板凸部、２２０  フレーム、２２１  フレーム取付部、２２１ａ  切り起し開口、２２２  フレーム側部、２２２ａ  側部端部、２２３  固定片、２２３ａ  立上り部、２２３ｂ  押え部、２２３ｃ  基板挿し込み部、２３４  突起部、２３０  カバー、２３１  外層部、２３２  カバー底部、２３３  カバー側部、２４０  蓋、２４１  蓋端部、２４２  蓋外層部、２４３  蓋底部、２５０  電源装置、２５１  電源本体部、２５２  電源接続部、２５２ａ  電源電線、２５２ｂ  電源コネクタ、２６０  連結金具、２６１  金具固定部、２６２  バネ連結部、２６２ａ  連結開口部。
【図１】
0006720646.tif 000002
【図２】
0006720646.tif 000003
【図３】
0006720646.tif 000004
【図４】
0006720646.tif 000005
【図５】
0006720646.tif 000006
【図６】
0006720646.tif 000007
【図７】
0006720646.tif 000008
【図８】
0006720646.tif 000009
【図９】
0006720646.tif 000010
【図１０】
0006720646.tif 000011
【図１１】
0006720646.tif 000012
【図１２】
0006720646.tif 000013
【図１３】
0006720646.tif 000014
【図１４】
0006720646.tif 000015